(57)【要約】【課題】住宅に使用される衣類を室内で乾燥させる装置において、生活動線や時間等に関係なく室内で衣類の乾燥ができ、屋外で着用した衣類も室内で抵抗なく乾燥できる乾燥方法と衣類の乾燥システムを提供することを目的とする。【解決手段】外部から出入りする開口部３と、土間２と、室内空間１の空気を循環させる送風ユニット５と、室内空間１の空気を排気する排気手段としての換気扇１０とを室内空間１に備え、送風ユニット５は循環気流の出口である吹出口８を有し、吹出口８から吹出される気流が衣類１２にあたるように衣類１２を配置するという構成にしたことにより、生活動線や時間等に関係なく室内で衣類の乾燥ができ屋外で着用した衣類も室内で抵抗なく乾燥できる衣類の乾燥システムが得られる。【選択図】図２
2011101785.tif 000002
【特許請求の範囲】
【請求項１】
外部から出入りする開口部と、土間を有する室内空間に，この室内空間の空気を循環させる送風手段と、前記室内空間の空気を排気する排気手段を備え、前記室内空間内に干した衣類を送風手段からの循環気流と、排気手段による前記室内空間の空気の排気により乾燥させることを特徴とする衣類の乾燥方法。
【請求項２】
外部から出入りする開口部と、土間と、衣類支持手段と、室内空間の空気を循環させる送風手段と、前記室内空間の空気を排気する排気手段とを前記室内空間に備え、前記衣類支持手段には衣類が支持され、前記送風手段は循環気流の出口である吹出口を有し、前記吹出口から吹出される気流が前記衣類にあたるように前記衣類支持手段を配置したことを特徴とする衣類の乾燥システム。
【請求項３】
前記開口部前の前記土間に、人が出入りする一定の空間を空けて、衣類を配置したことを特徴とする請求項２記載の衣類の乾燥システム。
【請求項４】
前記土間に接し立ち上がる壁面の近傍空間に、前記衣類支持手段の軸方向が、前記壁面と略平行となるように配置したことを特徴とする請求項２記載の衣類の乾燥システム。
【請求項５】
前記衣類の上方空間の天井に、前記吹出口を配置したことを特徴とする請求項２記載の衣類の乾燥システム。
【請求項６】
前記吹出口はスリット状であって、前記吹出口の長手方向が前記壁面と略平行となるように配置したことを特徴とする請求項５記載の衣類の乾燥システム。
【請求項７】
前記吹出口に気流方向を変化させる風向偏向手段を備えたことを特徴とする請求項６記載の衣類の乾燥システム。
【請求項８】
前記排気手段が湿度センサーを備えた換気扇であることを特徴とする請求項２記載の衣類の乾燥システム。
【請求項９】
前記換気扇が給排気の熱交型であることを特徴とする請求項２記載の衣類の乾燥システム。
【請求項１０】
前記送風手段にフィルターを備えたことを特徴とする請求項２記載の衣類の乾燥システム。
【請求項１１】
前記室内空間の近傍に別空間を配置し、前記別空間に換気扇を備え、前記室内空間と前記別空間との間には通風手段を備えたことを特徴とする請求項２記載の衣類の乾燥システム。
【請求項１２】
前記送風手段の動作に連動し、前記換気扇が動作を開始することを特徴とする請求項１１記載の衣類の乾燥システム。
【請求項１３】
前記土間を有する室内空間に、人が出入りする一定の空間と乾燥空間を備え、前記人が出入りする一定の空間と前記乾燥空間の間に、下方に通風路を設けた扉を備え、前記乾燥空間の上方に前記排気手段と前記送風手段と前記衣類支持手段とを備えたことを特徴とする請求項２記載の衣類の乾燥システム。
【請求項１４】
前記土間を有する室内空間に、人が出入りする一定の空間と乾燥空間を備え、前記乾燥空間の上方に前記排気手段と前記送風手段と前記衣類支持手段とを備え、前記衣類支持手段には衣類が支持され、前記衣類の側面に送風するための、前記送風手段と連通する送風口を設けた送風扉を、人が出入りする一定の空間と乾燥空間の間に備えたことを特徴とする請求項２記載の衣類の乾燥システム。
【請求項１５】
前記土間にドレンパンを備え、前記ドレンパンの上方に前記送風手段と前記衣類保持手段を備えたことを特徴とする請求項２記載の衣類の乾燥システム。
【請求項１６】
前記土間に接し立ち上がる壁面の近傍空間に、前記衣類支持手段の軸方向が、前記壁面と略平行となるように上下２段に配置したことを特徴とする請求項２記載の衣類の乾燥システム。
【請求項１７】
前記土間に接し立ち上がる壁面に、前記衣類支持手段の軸方向と略平行となるように送風手段を備えたことを特徴とする請求項２記載の衣類の乾燥システム。
【請求項１８】
前記土間にクローゼットを備え、吊るした衣類の下方及び側面が前記クローゼットに触れないように前記衣類支持手段を配置し、前記送風手段を前記クローゼットの開口部と前記衣類保持手段に吊るした衣類に送風できるように配置したことを特徴とする請求項２記載の衣類の乾燥システム。
【請求項１９】
前記送風手段に湿度検知手段を備えたことを特徴とする請求項２記載の衣類の乾燥システム。
【請求項２０】
前記送風手段にタイマー手段を備えたことを特徴とする請求項２記載の衣類の乾燥システム。
【発明の詳細な説明】
【技術分野】
【０００１】
本発明は、衣類を室内で乾燥させる装置に関するものである。
【背景技術】
【０００２】
近年、天候や屋外空気汚染や有職主婦の増加や防犯上の問題または生活スタイルの変化などに伴い、衣類を室内で乾燥させたいといった要望が多くなってきている。
【０００３】
従来、この種の衣類を室内で乾燥させる装置は、浴室内で衣類を乾燥させるために浴室内の天井に備えられたものが知られている（例えば、特許文献１参照）。
【０００４】
図７に示すように、浴室１０１に備えられた浴室換気乾燥機１０２は換気ファン１０３と循環ファン１０４と加熱手段としての熱交換器１０５と湿度検知手段が備えられ、循環ファン１０４で熱交換器１０５を通過した浴室空気を加熱し、浴室内の水蒸気を換気ファン１０３で排気することで、浴室に吊るされた衣類を乾燥させるものである。
【先行技術文献】
【特許文献】
【０００５】
【特許文献１】特開２００２−２２１３８８号公報
【発明の概要】
【発明が解決しようとする課題】
【０００６】
このような従来の衣類を室内で乾燥させる装置においては、浴室空間を加熱とともに換気を行なうことにより浴室内部に吊り干された衣類を乾燥させる構成となっていたので、衣類を入浴しないときに衣類を乾燥するのが一般的であった。
【０００７】
従って、夜の入浴や朝のシャワーなど、浴室を使用するときには、衣類の乾燥ができず、衣類を乾燥する時間が限られてしまう。また、乾燥した衣類を浴室に置いておけないために、入浴やシャワーのたびに洗濯を移動しなければならない作業負担が大きい。  
【０００８】
また、雨に濡れた屋外で着用した衣類も干す場合があるが、清潔空間である浴室で、屋外で着用した衣類を干すことは不潔なイメージがあり、浴室で干すことに抵抗がある課題を有していた。
【０００９】
そこで本発明は、前記従来の課題を解決するものであり、入浴時間に関係なく、生活動線や時間に関係なく室内で衣類の乾燥ができ、屋外で着用した衣類も室内で抵抗なく容易に乾燥できる衣類の乾燥方法と衣類の乾燥システムを提供することを目的とする。
【課題を解決するための手段】
【００１０】
そして、この目的を達成するために、本発明は、外部から出入りする開口部と、土間を有する室内空間に、この室内空間の空気を循環させる送風手段と、室内空間の空気を排気する排気手段を備え、室内空間内に干した衣類を送風手段からの循環気流と、排気手段による室内空間の空気の排気により乾燥させる衣類の乾燥方法であり、これにより所期の目的を達成するものである。
【００１１】
また本発明は、外部から出入りする開口部と、土間と、衣類支持手段と、室内空間の空気を循環させる送風手段と、室内空間の空気を排気する排気手段とを室内空間に備え、衣類支持手段には衣類が支持され、送風手段は循環気流の出口である吹出口を有し、吹出口から吹出される気流が衣類にあたるように衣類支持手段を配置した衣類の乾燥システムであり、これにより所期の目的を達成するものである。
【発明の効果】
【００１２】
本発明によれば、外部から出入りする開口部と、土間と、物干し竿と、室内空間の空気を循環させる送風手段と、室内空間の空気を排気する排気手段とを室内空間に備え、物干し竿には衣類が吊り下げられ、送風手段は循環気流の出口である吹出口を有し、吹出口から吹出される気流が衣類にあたるように前記衣類を配置したことにより、天気の悪い日でも送風により衣類の湿気を飛ばし、その湿気を排気することにより衣類の乾燥を行うことができる。また、雨に濡れた屋外で着用した衣類も抵抗なく乾燥することができる。
【図面の簡単な説明】
【００１３】
【図１】本発明の実施の形態１における衣類の乾燥システムの平面を示す構成図
【図２】図１のＸ―Ｘ´断面を示す構成図
【図３】図２のＹ−Ｙ´断面を示す構成図
【図４】本発明の実施の形態２における衣類の乾燥システムの断面を示す構成図
【図５】本発明の実施の形態３における衣類の乾燥システムの断面を示す構成図
【図６】本発明の実施の形態４における衣類の乾燥システムの平面を示す構成図
【図７】従来の衣類を室内で乾燥させる装置の断面を示す構成図
【図８】本発明の実施の形態５における衣類の乾燥システムの断面を示す構成図
【図９】本発明の実施の形態６における衣類の乾燥システムの断面を示す構成図
【図１０】本発明の実施の形態７における衣類の乾燥システムの断面を示す構成図
【図１１】本発明の実施の形態８における衣類の乾燥システムの断面を示す構成図
【図１２】本発明の実施の形態９における衣類の乾燥システムの断面を示す構成図
【発明を実施するための形態】
【００１４】
本発明の請求項１記載の衣類の乾燥方法は、外部から出入りする開口部と、土間を有する室内空間に，この室内空間の空気を循環させる送風手段と、室内空間の空気を排気する排気手段を備え、室内空間内に干した衣類を送風手段からの循環気流と、排気手段による室内空間の空気の排気により乾燥させる方法である。
【００１５】
これにより、天気の悪い日でも送風により衣類の湿気を飛ばし、その湿気を排気することにより衣類の乾燥を行うことができる。更に、雨に濡れた外着も抵抗なく乾燥することができるという効果を奏する。
【００１６】
また、外部から出入りする開口部と、土間と、衣類支持手段と、室内空間の空気を循環させる送風手段と、室内空間の空気を排気する排気手段とを室内空間に備え、衣類支持手段には衣類が支持され、送風手段は循環気流の出口である吹出口を有し、吹出口から吹出される気流が衣類にあたるように衣類支持手段を配置するという衣類の乾燥システムである。これにより、天気の悪い日でも送風により衣類の湿気を飛ばし、その湿気を排気することにより衣類の乾燥を行うことができる。更に、雨に濡れた外着も抵抗なく乾燥することができるという効果を奏する。
【００１７】
また、開口部前の土間に、人が出入りする一定の空間を空けて、衣類を配置するという構成にしてもよい。これにより、土間に衣類を干しても、外部との出入りを阻害することなく衣類を干すことができるという効果を奏する。
【００１８】
また、土間に接し立ち上がる壁面の近傍空間に、物干し竿の軸方向が、壁面と略平行となるように配置するという構成にしてもよい。これにより、大量の衣類を干すために空間を最小限にすることができる効果を奏する。
【００１９】
また、衣類の上方空間の天井に、吹出口を配置するという構成にしてもよい。これにより、土間に落ちた衣類などの水や、土間に配置したかさ立ての乾燥ができるという効果を奏する。
【００２０】
また、吹出口はスリット状であって、吹出口の長手方向が壁面と略平行となるように配置するという構成にしてもよい。これにより、物干し竿に干された複数の衣類に対して満遍なく送風気流が当たることとなるので衣類に乾きムラがなくなるといった効果を奏する。
【００２１】
また、吹出口に気流方向を変化させる風向偏向手段を備えたという構成にしてもよい。これにより、物干し竿を並行に二本並べた場合でも均等に送風気流が当たることとなるので、衣類が多い場合であっても衣類の乾きムラを少なくできるといった効果を奏する。
【００２２】
また、排気手段に湿度センサーを備えた換気扇を備える構成にしてもよい。これにより、衣類から発生した湿気を確実に排気する効果を奏する。
【００２３】
また、給排気の熱交換型の換気扇を備える構成にしてもよい。これにより、排気に伴う給気において、熱交換により、冬の寒い外気が室内空間に入ることを防ぐ効果を奏する。
【００２４】
また、送風手段にフィルターを備える構成にしてもよい。これにより、屋外で着用した衣類に送風を当てて乾燥させるときに空間に広がる花粉や埃を循環気流により捕集し清潔に乾燥できる効果を奏する。
【００２５】
また、室内空間の近傍に別の空間を配置し、別の空間に換気扇を備え、室内空間と別の空間との間には開口部を備えるという構成にしてもよい。これにより、排気手段を室内空間に備える必要がなくなるので、イニシャルコストの削減ができるという効果を奏する。
【００２６】
また、送風手段の動作に連動し、換気扇が動作を開始するという構成にしてもよい。これにより、換気扇の発停操作を新たに実施する必要がないので、作業者の操作内容を軽減できるという効果を奏する。
【００２７】
また、土間を有する室内空間に、人が出入りする一定の空間と乾燥空間を備え、人が出入りする一定の空間と乾燥空間の間に、下方に通風路を設けた扉を備え、乾燥空間の上方に排気手段と送風手段と衣類支持手段とを備える構成にしてもよい。これにより、扉の下方の通風路からの風の流れで、乾きにくい衣類の下部が乾きやすくなり、人が出入りする空間と仕切られることにより見栄えが良いという効果を奏する。
【００２８】
また、土間を有する室内空間に、人が出入りする一定の空間と乾燥空間を備え、乾燥空間の上方に排気手段と送風手段と衣類支持手段とを備え、衣類支持手段には衣類が支持され、衣類の側面に送風するための、送風手段と連通する送風口を設けた送風扉を、人が出入りする一定の空間と乾燥空間の間に備える構成にしてもよい。これにより、送風扉の送風口からの送風による風の流れで、乾きにくい衣類の側面と下部が乾きやすくなり、人が出入りする空間と仕切られることにより見栄えが良いという効果を奏する。
【００２９】
また、土間にドレンパンを備え、ドレンパンの上方に送風手段と衣類保持手段を備える構成にしてもよい。これにより、レインコート等の大量に濡れた衣類を干した時や、ドレンパンに長靴などの雨具を置いて乾燥する時に、土間一面をぬらすことなく乾燥ができる効果を奏する。
【００３０】
また、土間に接し立ち上がる壁面の近傍空間に、衣類支持手段の軸方向が、壁面と略平行となるように上下二段に配置する構成にしてもよい。これにより、一段と同じ平面空間で大量の衣類を乾燥できるとう効果を奏する。
【００３１】
また、土間に接し立ち上がる壁面に、衣類支持手段の軸方向と略平行となるように送風手段を備える構成にしてもよい。これにより、衣類保持手段を上下二段に配置した時に上下に均等に送風できるという効果を奏する。
【００３２】
また、土間にクローゼットを備え、吊るした衣類の下方及び側面がクローゼットに触れないように衣類支持手段を配置し、送風手段を前記クローゼットの開口部と衣類保持手段に吊るした衣類に送風できるように配置した構成にしてもよい。これにより、衣類を乾燥していない時にクローゼットの開口部に送風し、クローゼット内部の靴やコート等に風をあててにおい発生の元になる菌の増殖の原因になる湿気を飛ばすことができる効果を奏する。
【００３３】
また、送風手段に湿度検知手段を備える構成にしてもよい。これにより、衣類から発生した湿気を検知することで衣類の乾燥状況を把握することができ、効率的に衣類乾燥の運転をできるという効果を奏する。
【００３４】
また、送風手段にタイマー手段を備える構成にしてもよい。これにより、使用者のライフスタイルに応じた運転をすることできるという効果を奏する。
【００３５】
以下、本発明の実施の形態について図面を参照しながら説明する。
【００３６】
（実施の形態１）
図１は、本発明の実施の形態１における衣類の乾燥システムの平面を示す構成図であり、図２は、本発明の実施の形態１における衣類の乾燥システムの構成を示すＸ―Ｘ´断面図であり、図３は、本発明の実施の形態１における衣類の乾燥システムの構成を示すＹ−Ｙ´断面図である。
【００３７】
図１および図２に示すように、室内空間１には外部から出入りする開口部３と、土間２と、室内空間１と隣接する隣接空間４が設置されている。そして、室内空間１の天井１１には、室内空間１の空気を排気する排気手段としての換気扇１０と、室内空間１の空気を循環させる送風手段である送風ユニット５が備えられている。送風ユニット５は吸込口６とクロスフローファン７と吹出口８とが連通する構成となっており、吸込口６から室内空間１の空気を吸込み、クロスフローファン７で加圧送風され、吹出口８から室内空間１へ気流が吹出される。また、吸込口６には室内空間１から空気と共に流入する埃を除去するためのフィルター９が備えられている。
【００３８】
図２および図３に示すように、衣類支持手段である物干し竿１３は、土間２の上方空間にあって、土間２に接し立ち上がる壁面１７の近傍空間に配置されている。      
【００３９】
この近傍空間とは、物干し竿１３はその竿方向の軸線Ａが水平となるように、壁１８を橋渡しする形で固定されており、物干し竿１３が固定されている位置としては、高さ方向では一般的な大人であれば容易に衣類の吊り干し作業を実施できる高さである。
【００４０】
一方、水平方向では、図１と図２に示すように、物干し竿１３はその軸方向が壁面１７と略平行となるように配置されている。そして、壁面１７と物干し竿１３との水平距離は、一般的な衣類がハンガー１４に干された状態でも衣類１２が開口部３に接触することのない距離であり、例えば開口部３を基準として４００ｍｍ程度である。
【００４１】
このような構成によれば、天気の悪い日でも送風により衣類の湿気を飛ばし、その湿気を排気することにより衣類の乾燥を行うことが出来る。
【００４２】
また、雨に濡れた屋外で着用した衣類も抵抗なく乾燥することができる。
【００４３】
また、大量の衣類を干すために空間を最小限にすることができる。
【００４４】
また、土間は、屋内の廊下と違い土足で出入りするので耐水性があり、水の雫が落ちる手洗い衣類や、水の雫が垂れる雨に濡れた屋外で着用した衣類を干して水に濡れても床を傷めることがない。
【００４５】
また、屋外で着用した衣類に送風を当てて乾燥させるときに空間に広がる花粉や埃を循環気流により捕集し清潔に乾燥できる。
【００４６】
図１及び図２に示すように、送風ユニット５と物干し竿１３は、土間に開口部３から隣接空間４へ人が出入りできる空間を開けて配置している。
【００４７】
このような構成によれば、土間２に衣類を干しても、外部との出入りを阻害することなく衣類を干すことができる。
【００４８】
また、室内空間１の天井１１には送風ユニット５が備えられているが、衣類１２の上方に吹出口８が位置するように送風ユニット５が配置されている。そして送風ユニット５に備えられたクロスフローファン７を運転させることで、床面１９の上面に気流が到達し、土間に落ちた土間に落ちた衣類などの水や、土間に配置したかさ立ての乾燥ができる。
【００４９】
なお、衣類１２を物干し竿１３に吊るさずに送風ユニット５に備えられたクロスフローファン７を運転させることで、土間２の上面により多くの気流が到達し、土間２に置いたたらいなどの洗濯用具を早く乾燥させることも可能となる。
【００５０】
図１に示すように、送風ユニット５に備えられている吹出口８の開口形状はスリット形状であり、吹出口８のスリット形状に対する長手方向が開口部３と略平行となるように配置されている。従って、開口部３に対して、物干し竿１３の軸線Ａと吹出口８のスリット形状に対する長手方向とのどちらも略平行に位置しており、吹出口８から吹出される気流が物干し竿１３の軸方向に対して均等に当たる構成となっている。
【００５１】
このような構成によれば、物干し竿に干された複数の衣類に対して満遍なく送風気流が当たることとなるので衣類に乾きムラがなくなる。
【００５２】
なお、実施の形態１では、排気手段に換気扇を用い、換気扇を運転することで室内の水蒸気を屋外へ排出したが、換気扇にかえて室内空間１に備えられた窓を用い、窓を開閉することで室内の水蒸気を屋外へ排出してもよく、その作用効果に差異を生じない。
【００５３】
なお、衣類支持手段を物干し竿としたが、吊り下げハンガーや物干しスタンドなど、洗濯物を同様な位置に配置できるものであればよい。
【００５４】
（実施の形態２）
図４において、実施の形態１と同様の構成要素については同一の符号を付し、その詳細な説明は省略する。
【００５５】
図４は、本発明の実施の形態２における衣類の乾燥システムの断面を示す構成図を示し、図４の開口部３の近傍空間には衣類１２ａを吊り干すための物干し竿１３ａが備えられているとともに、物干し竿１３ａと略並行に、衣類１２ａと衣類１２ｂが接しない程度に近接して、衣類１２ｂを吊り干すための物干し竿１３ｂが備えられている。衣類１２ａと衣類１２ｂは、衣類を物干し竿につるす時に風を当てるためにある程度間隔を開けて吊るす。
【００５６】
また、図４において、室内空間１の天井１１には送風ユニット５が備えられている。そして、送風ユニット５の吹出口８には、室内空間１に対し吹出口８から出される気流方向を変化させる風向偏向手段としての風向ルーバー２２が備えられている。風向ルーバー２２は吹出口８のスリット形状に対する長手方向と平行なる軸を中心に、一定範囲の角度幅（例えば３０°〜６０°）を一定時間間隔（例えば、５秒から１０秒程度の周期）で往復動作を行なう。また図示していないが、風向ルーバー２２の駆動手段としてはステッピングモータなどが用いられる。
【００５７】
前記構成において、送風ユニット５の吹出口８から吹出される気流は、広角な範囲に対してその風向を変化させることができ、平面視で物干し竿１３ａと物干し竿１３ｂとの中央位置に送風ユニット５を配置することにより、物干し竿１３ａと物干し竿１３ｂに吊り干されたいずれの衣類１２ａ、１２ｂに均等に気流が当たることとなり、衣類１２ａ、１２ｂのいずれに対しても乾燥を促進することが可能となる。
【００５８】
このような構成によれば、吹出口８に気流方向を変化させる風向偏向手段としての風向ルーバー２２を備えることにより、物干し竿１３ａ、１３ｂを並行に二本並べた場合でも衣類１２ａ、１２ｂに均等に送風気流が当たることとなり、大量の衣類を干しても、衣類の乾きムラを少なくできる。
【００５９】
（実施の形態３）
図５において、実施の形態１と同様の構成要素については同一の符号を付し、その詳細な説明は省略する。
【００６０】
図５は、本発明の実施の形態３における衣類の室内乾燥システムの断面を示す構成図を示し、天井１１には湿度センサー２６を備えた、熱交換型換気扇２５が備えられている。この熱交換型換気扇２５には、外気と連通した給気ダクト２７と排気ダクト２８を備え、熱交換型換気扇２５には、室内からの排気と屋外からの給気の熱を交換する熱交換素子２９を備えている。
【００６１】
このような構成によれば、衣類から発生した湿気の量を湿度センサー２６により検知できるので、湿気を確実に排気できる。
【００６２】
また、排気に伴う給気において、冬の寒い外気を給気する時に、熱交換素子２９による給気と排気の熱交換により、寒い外気が給気により室内に入ってくることを防ぐことで、冬でも室内での衣類乾燥を行うことができる。
【００６３】
（実施の形態４）
図６において、実施の形態１と同様の構成要素については同一の符号を付し、その詳細な説明は省略する。
【００６４】
図６は、本発明の実施の形態４における衣類の乾燥システムの断面を示す構成図である。
【００６５】
図６に示すように、室内空間１と隣接して隣接空間４が配置され、隣接空間４に隣接して、空間３１が配置されている。室内空間１と隣接空間４と空間３１との間が通風可能な開口部により連通されており、室内空間１と隣接空間４と空間３１は、通風手段としての通風経路３２を有している。
【００６６】
また、空間３１の天井には換気扇１０が備えられ、換気扇１０を運転させることにより空間３１の空気が屋外へ排出されるに伴って、通風手段としての通風経路３２を介して室内空間１の空気が隣接空間４に移動し、更に空間３１へ移動する。従って、室内空間１の空気が通風経路３２により隣接空間４と空間３１を介して屋外へ排出されることとなり、衣類１２から発生する水蒸気を適切に排出することができる。
【００６７】
このような構成によれば、空間３１に換気扇１０を備えることにより、排気手段を室内空間１に備える必要がなくなるので、イニシャルコストを削減することができる。
【００６８】
また、送風手段としてのクロスフローファン７の運転に連動して電源を出力する連動端子（図示せず）が送風ユニット５に備えられ、連動端子と換気扇１０とが結線されており、クロスフローファン７の動作に連動して換気扇１０が運転を開始する構成となっており、換気扇１０の運転操作を新たに実施する必要がないので、作業者の操作内容を軽減することができる。
【００６９】
なお、室内空間１と隣接空間４の間の通風可能な開口部は、通風路としてのガラリを備えたドアであってもよい。
【００７０】
なお、隣接空間４と空間３１の間の通風可能な開口部は、通風路としてのガラリを備えたドアであってもよい。
【００７１】
なお、一般的に、室内空間１を玄関ホールとし、隣接空間４は廊下、空間３１はトイレや洗面所等のサニタリーとし、サニタリーに換気扇を備えることで実現可能である。
【００７２】
（実施の形態５）
図８において、実施の形態１と同様の構成要素については同一の符号を付し、その詳細な説明は省略する。
【００７３】
図８は、本発明の実施の形態５における衣類の乾燥システムの断面を示す構成図である。
【００７４】
図８に示すように、土間２を有する室内空間１は、開口部３を備えた人が出入する一定空間と乾燥室４１を備え、開口部３を備えた人が出入りする一定の空間と乾燥室４１は、下方に通風口４３を設けた扉４２により区切られた構成となっている。そして、乾燥室４１の天井１１には、乾燥室４１の空気を排気する排気手段としての換気扇１０と、衣類を送風乾燥させる送風手段である送風ユニット５が備えられている。
【００７５】
また、図８に示すように衣類１２を乾燥させるための衣類支持手段である物干し竿１３は、乾燥室４１の中の土間２の上方空間にあって、土間２に接し立ち上がる壁面１７の近傍空間に配置されている。  
【００７６】
このような構成によれば、扉４２の下方の通風口４３からの風の流れで、乾きにくい衣類の下部が乾きやすくなる。
【００７７】
また、人が出入する一定の空間と乾燥室４１が扉４２で仕切られているので乾燥室中に見栄えが良い。
【００７８】
また、衣類乾燥後に次の衣類乾燥までに衣類を保管しておいても見栄え良く保管することができる。
【００７９】
なお、天井１１に排気手段としての換気扇１０を備えたが、乾燥室４１の空間内にあって吊り下げた衣類の上下方向の中心より概ね上方であれば、壁に換気扇１０を備えても良い。
【００８０】
なお、扉４２に設けた通風口４３の形状は、物干し竿１３に干した多くの衣類１２に当たり易いようにスリット形状であることが望ましい。
【００８１】
（実施の形態６）
図９において、実施の形態１と同様の構成要素については同一の符号を付し、その詳細な説明は省略する。
【００８２】
図９は、本発明の実施の形態６における衣類の乾燥システムの断面を示す構成図である。
【００８３】
図９に示すように、土間２を有する室内空間１は、開口部３を備えた人が出入する一定空間と乾燥室４１を備え、乾燥室４１の天井１１には、乾燥室４１の空気を排気する排気手段としての換気扇１０を備えた構成になっている。
【００８４】
また、開口部３を備えた人が出入りする一定の空間と乾燥室４１は、送風ユニット５と連通して衣類１２の側面から送風乾燥させる数個の送風口５２を備えた送風扉５１により区切られた構成となっている。
【００８５】
また、図９に示すように衣類１２を乾燥させるための衣類支持手段である物干し竿１３は、乾燥室４１の中の土間２の上方空間にあって、土間２に接し立ち上がる壁面１７の近傍空間に配置されている。  
【００８６】
このような構成によれば、送風扉５１に備えた数個の送風口５２からの、側面の広範囲の送風により、衣類１２が乾きやすくなる。
【００８７】
また、人が出入する一定の空間と乾燥室４１が送風扉５１で仕切られているので乾燥室中に衣類１２を干しても見栄えが良い。
【００８８】
また、衣類乾燥後に次の衣類乾燥までに衣類１２を保管しておいても見栄え良く保管することができる。
【００８９】
なお、天井１１に排気手段としての換気扇１０を備えたが、乾燥室４１の空間内にあって吊り下げた衣類１２を中心として反対方向であれば、壁に換気扇１０を備えても良い。
【００９０】
なお、送風扉５１に備えた送風口５２の形状は、物干し竿１３に干した多くの衣類１２に当たり易いように広範囲に設けることが望ましい。
【００９１】
尚、送風扉５１は、衣類の側面の送風できる程度の高さでよいが、更に見栄えよくするために天井から土間までを仕切る扉でも良い。
【００９２】
尚、送風扉５１は、衣類１２を物干し竿１３に干すために開閉できるものとし、閉状態で送風ユニット５と連通して送風口から送風ができれば、上下開閉方式や左右スライド方式等どのような開閉方法を採用しても良い。
【００９３】
（実施の形態７）
図１０において、実施の形態１と同様の構成要素については同一の符号を付し、その詳細な説明は省略する。
【００９４】
図１０は、本発明の実施の形態７における衣類の乾燥システムの断面を示す構成図である。
【００９５】
図１０に示すように、室内空間１の天井１１には、室内空間１の空気を排気する排気手段としての換気扇１０と、衣類を送風乾燥させる送風手段である送風ユニット５が備えられている。
【００９６】
また、図１０において、衣類支持手段である物干し竿１３は、土間２の上方空間にあって、土間２に接し立ち上がる壁面１７の近傍空間に配置され、物干し竿１３の吊るした衣類１２の下方の土間２の上にはドレンパン５３が設置されている。
【００９７】
また、図１０において、送風ユニット５の吹出口８には、室内空間１に対し吹出口８から出される気流方向を変化させる風向ルーバー２２が備えられている。風向ルーバー２２は吹出口８のスリット形状に対する長手方向と平行なる軸を中心に、一定範囲の角度幅（例えば３０°〜６０°）風向を変化させることができる。また図示していないが、風向ルーバー２２の駆動手段としてはステッピングモータなどが用いられる。
【００９８】
前記構成において、送風ユニット５の吹出口８から吹出される気流は、高さ方向に対してその風向を変化させることができ、衣類乾燥をするときは衣類１２に気流が当たることとなり、床面を乾燥するときにはドレンパン５３に気流が当たることになり衣類１２とドレンパン５３のいずれに対しても乾燥を促進することが可能となる。
【００９９】
このような構成によれば、吹出口８に気流方向を変化させる風向ルーバー２２を備えることにより、衣類１２に気流をあてて乾燥を促進させるだけでなく、レインコート等の大量に濡れた衣類を干した時にドレンパン５３に落ちた水や、ドレンパンに長靴などの雨具を置いて乾燥することができる。
【０１００】
また、ドレンパン５３によりレインコート等の大量に濡れた衣類を干した時に落ちた水により土間２を濡らすことなく乾燥させることができる。
【０１０１】
なお、ドレンパン５３を乾燥するときの送風ユニット５からの気流は、衣類１２を乾燥する気流に対して風速を早くする制御により床面まで到達させることができる。
【０１０２】
なお、ドレンパン５３の平面の大きさは、平面視で衣類１２を最大量干したときの平面面積同等以上にして衣類１２から落ちる水をすべてドレンパン５３で受けることが好ましい。
【０１０３】
（実施の形態８）
図１１において、実施の形態１と同様の構成要素については同一の符号を付し、その詳細な説明は省略する。
【０１０４】
図１１は、本発明の実施の形態８における衣類の乾燥システムの断面を示す構成図である。
【０１０５】
図１１に示すように、開口部３の近傍空間には衣類１２ａを吊り干すための物干し竿１３ａが備えられているとともに、物干し竿１３ａと略並行で物干し竿１３ａの下側に、衣類１２ａと接しない程度に近接して、衣類１２ｂを吊り干すための物干し竿１３ｂが備えられている。
【０１０６】
また、図１１において、室内空間１の壁面１７には送風ユニット５が備えられている。そして、送風ユニット５の吹出口８には、室内空間１に対し吹出口８から出される気流方向を変化させる風向ルーバー２２が備えられている。風向ルーバー２２は吹出口８のスリット形状に対する長手方向と平行なる軸を中心に、一定範囲の角度幅（例えば３０°〜６０°）を一定時間間隔（例えば、５秒から１０秒程度の周期）で往復動作を行なう。また図示していないが、風向ルーバー２２の駆動手段としてはステッピングモータなどが用いられる。
【０１０７】
前記構成において、送風ユニット５の吹出口８から吹出される気流は、広角な範囲に対してその風向を変化させることができ、垂直視で物干し竿１３ａと物干し竿１３ｂとの中央位置に送風ユニット５を配置することにより、物干し竿１３ａと物干し竿１３ｂに吊り干されたいずれの衣類１２ａ、１２ｂに均等に気流が当たることとなり、衣類１２ａ、１２ｂのいずれに対しても乾燥を促進することが可能となる。
【０１０８】
また、図１１において、送風ユニット５に湿度センサー２６とタイマー６１を備えた構成になっている。
【０１０９】
このような構成によれば、吹出口８に気流方向を変化させる風向ルーバー２２を備えることにより、物干し竿１３ａ、１３ｂを上下二段に二本並べた場合でも衣類１２ａ、１２ｂに均等に送風気流が当たることとなり、大量の衣類を干しても、衣類の乾きムラを少なくできる。
【０１１０】
また、衣類から発生した湿気の量を送風ユニット５に備えた湿度センサー２６により検知することにより、衣類からの湿気の発生量に応じて、送風ユニット５の風量を制御することができる。例えば、衣類乾燥初期の湿度発生量が多い時は、大風量の送風により衣類乾燥を促進し、衣類乾燥後期の湿度発生量が少ない時は、少風量の送風により省エネで衣類乾燥することが可能である。
【０１１１】
また、任意の時間設定に基づいて送風ユニット５の送風を停止させることができるタイマー６１を備えることにより、使用者が運転時間を任意に設定できる。例えば、設定時間の経過後に送風を自動的に停止させたり、設定時間の経過後に自動的に運転開始させたりすることができ、使用者のライフスタイルに応じた運転をすることができる。
【０１１２】
なお、衣類を上下二段に干すことができるが、手洗い衣類や雨具など水滴の落ちる衣類を干す場合、下の段に干すことにより他の衣類に影響することなく乾燥することが可能となる。
【０１１３】
（実施の形態９）
図１２において、実施の形態１と同様の構成要素については同一の符号を付し、その詳細な説明は省略する。
【０１１４】
図１２は、本発明の実施の形態９における衣類の乾燥システムの断面を示す構成図である。
【０１１５】
図１２に示すように、室内空間１の天井１１には、室内空間１の空気を排気する排気手段としての換気扇１０と、衣類を送風乾燥させる送風手段である送風ユニット５が備えられている。
【０１１６】
また、図１２において、土間２にあって土間２に接し立ち上がる壁面１７を背面とし、前面が開口可能なクローゼット６２が備えられ、衣類支持手段である物干し竿１３は、土間２の上方空間のクローゼット６２の前面にあって、物干し竿１３に吊るした衣類１２の下方及び側面がクローゼット６２の開口部の開閉手段に触れないような近接空間に配置されている。
【０１１７】
また、図１２において、送風ユニット５の吹出口８には、室内空間１に対し吹出口８から出される気流方向を変化させる風向ルーバー２２が備えられている。風向ルーバー２２は吹出口８のスリット形状に対する長手方向と平行なる軸を中心に、一定範囲の角度幅（例えば３０°〜６０°）風向を変化させることができる。また図示していないが、風向ルーバー２２の駆動手段としてはステッピングモータなどが用いられる。
【０１１８】
前記構成において、送風ユニット５の吹出口８から吹出される気流は、高さ方向に対してその風向を変化させることができ、衣類乾燥をするときは衣類１２に気流が当たることとなり、クローゼット６２内部を乾燥するときにはクローゼット６２に内部に気流が当たることになり衣類１２とクローゼット６２のいずれに対しても乾燥を促進することが可能となる。
【０１１９】
このような構成によれば、吹出口８に気流方向を変化させる風向ルーバー２２を備えることにより、衣類１２に気流をあてて乾燥を促進させるだけでなく、衣類を乾燥していないときにクローゼット６２の開口部に送風し、クローゼット６２内部の靴やコート等に風をあててにおい発生の元になる菌の増殖の原因になる湿気を飛ばすことができる。
【０１２０】
なお、クローゼット６２の開閉手段は、例えば折れ戸の様な前面スペースをあまりとらずクローゼット６２の全面が開放する開閉手段により一度に内部を乾燥できる方式が好ましい。また、クローゼット６２前面のスペースが少ない場合、引き戸方式により省スペースで衣類保持手段を設置することができるが、クローゼット６２は半分しか開かないので、左右交互にクローゼット６２内部を乾燥したり、一方に主に保管するものを置きもう一方に主に使用して乾燥するものを置き使い分けたり、することにより効率的に対応することができる。
【産業上の利用可能性】
【０１２１】
本発明にかかる衣類の室内乾燥方法と衣類の室内乾燥システムは、生活動線や時間等に関係なく室内で衣類の乾燥ができ、屋外で着用した衣類も室内で抵抗なく乾燥できる乾燥方法と衣類の乾燥システムを提供することを可能とするものであるので、住宅のリビングや寝室、子ども部屋などの居室や、衣類の乾燥専用室に使用される乾燥システム等として有用である。
【符号の説明】
【０１２２】
１    室内空間
２    土間
３    開口部
４    隣接空間
５    送風ユニット
６    吸込口
７    クロスフローファン
８    吹出口
９    フィルター
１０  換気扇
１２、１２ａ、１２ｂ  衣類
１３、１３ａ、１３ｂ  物干し竿
２２  風向ルーバー
２５  熱交換型換気扇
２６  湿度センサー
２７  給気ダクト
２８  排気ダクト
２９  熱交換素子
３１  空間
３２  通風経路
４１  乾燥室
４２  扉
４３  通風口
５１  送風扉
５２  送風口
５３  ドレンパン
６１  タイマー
６２  クローゼット
【図１】
2011101785.tif 000003
【図２】
2011101785.tif 000004
【図３】
2011101785.tif 000005
【図４】
2011101785.tif 000006
【図５】
2011101785.tif 000007
【図６】
2011101785.tif 000008
【図７】
2011101785.tif 000009
【図８】
2011101785.tif 000010
【図９】
2011101785.tif 000011
【図１０】
2011101785.tif 000012
【図１１】
2011101785.tif 000013
【図１２】
2011101785.tif 000014